(57)【要約】      （修正有）【課題】ＲＣ造橋脚などの補強工事で、貫通拘束を施工する場合、従来、ＰＣ鋼棒を橋脚躯体に削孔した貫通孔に挿入・貫通し、橋脚躯体を挟み、両側面に設置した溝形鋼と支圧板を介して、ＰＣ鋼棒両端のネジをナットで締める施工が行われている。この場合、両側面に設置した溝形鋼と支圧板やナットとネジの余長が橋脚躯体両側面から突出する。また、河川内では、河積阻害率への影響のみならず、突出部に起因する水流の渦巻きによる洗掘が基部周囲や底部に発生し、基部が不安定になる懸念がある。【解決手段】橋脚躯体両側面から突出する溝形鋼などを使用せず、貫通拘束筋を使用し、その水平接続部を国土交通大臣認定取得などの溶接継手工法で接続して、貫通拘束部の補強増厚量を約１／３．５に留め、死荷重増加軽減、河積阻害率や洗掘などに対する影響を抑制する薄層貫通拘束補強工法である。【選択図】図１
2008215056.tif 000002
【特許請求の範囲】
【請求項１】
本発明は、ＲＣ構造躯体などの補強工事の貫通拘束補強において、躯体両側面から突出する溝形鋼・支圧板・ナットなどを使用しないで、貫通拘束筋を使用し、その水平接続部を国土交通省大臣認定取得などの溶接継手工法で接続して、補強増厚量を溝形鋼・支圧板・ナットなどの厚みから、貫通拘束筋径１Ｄの約１／３．５に留めることを特徴とするＲＣ構造躯体の補強工法。
【発明の詳細な説明】
【技術分野】
【０００１】  本発明は、ＲＣ構造躯体の補強工法に関する。
【背景技術】
【０００２】  ＲＣ構造躯体などの補強工事において、貫通拘束を施工する場合、橋脚を例にすると、ＰＣ鋼棒を橋脚躯体に削孔した貫通孔に挿入・貫通し、橋脚躯体を挟み、両側面に設置した溝形鋼と支圧板を介して、ＰＣ鋼棒の両端に予めネジ加工されたネジをナットでストレスをかけない範囲で締める施工が行われている。
【特許文献】
【発明の開示】
【発明が解決しようとする課題】
【０００３】  従来は、ＰＣ鋼棒を橋脚躯体に削孔した貫通孔に挿入・貫通し、橋脚躯体を挟み，両側面に設置した溝形鋼と支圧板を介して、ＰＣ鋼棒の両端に予めネジ加工されたネジをナットでストレスをかけない範囲で締める施工が行われているが、この場合、両側面に設置した溝形鋼と支圧板やナットとネジの余長が橋脚躯体両側面から突出する。【０００４】  また、貫通拘束筋を使用した場合でも、その水平接続部をネジ式機械継手で接続すると、基部近傍の位置では貫通拘束筋の水平貫通部を直角に曲げ加工した鉛直部が、基部に当たり回転できずネジ継手が締められないために施工できない。よって、貫通拘束補強部の下段においては前記〔０００３〕同様の施工になる。【０００５】  河川内では、突出部に起因し発生する流水の渦巻きにより洗掘が基部周囲や底部に発生し、基部が不安定になることが想定される。このことは、状況によっては橋脚の支持耐荷力に影響を及ぼしかねない重要な懸念材料となる。【０００６】  さらに、流水の渦巻き抑制対策として、橋脚躯体両側面からの突出部を増厚して均一にすると、なお一層、河積阻害率に影響を及ぼすこととなる。【０００７】  現実問題として、ＲＣ構造躯体などの補強工事で橋脚・柱・壁などの補強工事において要求される、死荷重増加抑制・基部の支持耐力への影響軽減や建築限界などに対応するために、増厚量を極力抑制し薄層にする必要性が求められている。
本発明は、このような課題を解消するためになされたものである。
【課題を解決するための手段】
【０００８】  橋脚躯体両側面から突出する溝形鋼などを使用しないで貫通拘束筋のみを使用し、貫通拘束部の補強増厚量を貫通拘束筋１Ｄと溝形鋼使用時の約１／３．５の薄層に留める。
【発明の効果】
【０００９】  建築限界や、河川内橋脚の場合は河積阻害率や洗掘などに対する影響を最小限に抑制する。【００１０】  また、ＲＣ構造躯体などの補強工事で橋脚・柱・壁などの補強において要求されている、死荷重増加抑制・基部の支持耐力への影響軽減などに対応するために、貫通拘束補強部の死荷重増加量を溝形鋼使用時の約１／３．５に抑制した。
【発明を実施するための最良の形態】
【実施例１】
【００１１】  既設躯体にテーパーが付いていない場合
橋脚躯体両側面から突出する溝形鋼などを使用しないで、▲１▼・▲２▼貫通拘束筋を使用し、その水平接続部・継手を、財）日本建築センター（平成３年建設省住指発第３１号「鉄筋の溶接継手性能判定基準」）継手性能評価：Ａ級継手、認定番号例：ＢＣＪ−Ｃ○○○○など取得の、各種裏当て材を用いたガスシールドアーク溶接やエンクローズ溶接などによる狭開先溶接接合などの各異形棒鋼▲７▼溶接継手工法で溶接し接続する。
【実施例２】
【００１２】  既設躯体にテーパーが付いている場合
貫通拘束筋の鉛直部を▲３▼・▲４▼・▲５▼・▲６▼貫通拘束筋と別々に分けて製作し、その水平接続部・継手を、〔実施例１〕と同様に▲７▼溶接継手工法で溶接し、さらに鉛直部・重ね継手を▲８▼フレアー溶接する。【００１３】  施工の流れとしては、▲１１▼既設躯体に▲９▼貫通孔を削孔する。▲１０▼孔口部拡大孔を深さ６ｃｍ程度削孔する。補強工程の下塗り工完了後、貫通拘束筋を設置・溶接継手を施工する。帯筋配筋後グラウト注入・充填を行う。
【図面の簡単な説明】
【００１４】
【図１】貫通拘束筋詳細図
【図２】貫通拘束筋補強配置図
【図３】ＰＣ鋼材定着詳細図
【図４】ＰＣ鋼材定着配置図
【符号の説明】
【００１５】▲１▼  貫通拘束筋Ａ
▲２▼  貫通拘束筋Ｂ
▲３▼  貫通拘束筋Ｃ
▲４▼  貫通拘束筋Ｄ
▲５▼  貫通拘束筋Ｅ
▲６▼  貫通拘束筋Ｆ
▲７▼  溶接継手
▲８▼  フレアー溶接
▲９▼  貫通孔
▲１０▼  孔口部拡大孔
▲１１▼  既設躯体
【図１】
2008215056.tif 000003
【図２】
2008215056.tif 000004
【図３】
2008215056.tif 000005
【図４】
2008215056.tif 000006
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
本発明は、ＲＣ構造躯体などの補強工事の貫通拘束補強において、躯体両側面から突出するＰＣ鋼棒・溝形鋼・支圧板・ナットなどを使用しないで、貫通拘束筋を使用し、その水平接続部・継手を、財）日本建築センター（平成３年建設省住指発第３１号「鉄筋の溶接継手性能判定基準」）継手性能評価：Ａ級継手、認定番号例：ＢＪＣ−Ｃ○○○○など取得の、各種裏当て材を用いたガスシールドアーク溶接やエンクローズ溶接などによる狭開先溶接接合などの各種異形棒鋼▲７▼溶接継手工法で溶接し接続して、補強増厚量を溝形鋼・支圧板・ナットなどの厚みから、貫通拘束筋径１Ｄの約３．５分の１に留めることを特徴とするＲＣ構造躯体の薄層貫通拘束補強工法。
【手続補正２】
【補正対象書類名】明細書
【補正対象項目名】全文
【補正方法】変更
【補正の内容】
【発明の詳細な説明】
【技術分野】
【０００１】  本発明は、ＲＣ構造躯体の補強工法に関する。
【背景技術】
【０００２】  ＲＣ構造躯体などの補強工事において、貫通拘束を施工する場合、橋脚を例にすると、ＰＣ鋼棒を橋脚躯体に削孔した貫通孔に挿入・貫通し、橋脚躯体を挟み、両側面に設置した溝形鋼と支圧板を介して、ＰＣ鋼棒の両端に予めネジ加工されたネジをナットでＰＣ鋼棒にストレスをかけない範囲で締める補強主筋・帯筋のはらみ防止の施工が行われている。
【特許文献】
【発明の開示】
【発明が解決しようとする課題】
【０００３】  従来は、ＰＣ鋼棒を橋脚躯体に削孔した貫通孔に挿入・貫通し、橋脚躯体を挟み，両側面に設置した溝形鋼と支圧板を介して、ＰＣ鋼棒の両端に予めネジ加工されたネジをナットでストレスをかけない範囲で締める施工が行われているが、この場合、両側面に設置した溝形鋼と支圧板やナットとＰＣ鋼棒のネジ山数山分が橋脚躯体両側面から突出する。【０００４】  また、貫通拘束筋を使用した場合でも、その水平接続部をネジ式機械継手で接続すると、基部近傍の位置では貫通拘束筋の水平貫通部を直角に曲げ加工した鉛直部が、基部に当たり回転できずネジ継手が締められないために施工できない。よって、貫通拘束補強部の下段においては前記〔０００３〕同様の施工になる。【０００５】  河川内では、突出部に起因し発生する流水の渦巻きにより洗掘が基部周囲や底部に発生し、基部が不安定になることが想定される。このことは、状況によっては橋脚の支持耐荷力に影響を及ぼしかねない重要な懸念材料となる。【０００６】  さらに、流水の渦巻き抑制対策として、橋脚躯体両側面からの突出部を増厚して均一にすると、なお一層、河積阻害率に影響を及ぼすこととなる。【０００７】  現実問題として、ＲＣ構造躯体などの補強工事で橋脚・柱・壁などの補強工事において要求される、死荷重増加抑制・基部の支持耐力への影響軽減や建築限界などに対応するために、増厚量を極力抑制し薄層にする必要性が求められている。
本発明は、このような課題を解消するためになされたものである。
【課題を解決するための手段】
【０００８】ＲＣ構造躯体などの補強工事の貫通拘束補強において、橋脚躯体両側面から突出するＰＣ鋼棒・溝形鋼・支圧板・ナットなどを使用しないで貫通拘束筋のみを使用し、その水平接続部・継手を、財）日本建築センター（平成３年建設省住指発第３１号「鉄筋の溶接継手性能判定基準」）継手性能評価：Ａ級継手、認定番号例：ＢＪＣ−Ｃ○○○○など取得の、各種裏当て材を用いたガスシールドアーク溶接やエンクローズ溶接などによる狭開先溶接接合などの各種異形棒鋼▲７▼溶接継手工法で溶接し接続して、補強増厚量を溝形鋼・支圧板・ナットなどの厚みから、貫通拘束部の補強増厚量を貫通拘束筋１Ｄと、ＰＣ鋼棒・溝形鋼使用時の約３．５分の１の薄層に留める。
【発明の効果】
【０００９】  建築限界や、河川内橋脚の場合は河積阻害率や洗掘などに対する影響を最小限に抑制する。【００１０】  また、ＲＣ構造躯体などの補強工事で橋脚・柱・壁などの補強において要求されている、死荷重増加抑制・基部の支持耐力への影響軽減などに対応するために、貫通拘束補強部の死荷重増加量を溝形鋼使用時の約３．５分の１に抑制した。
【発明を実施するための最良の形態】
【実施例１】
【００１１】  既設躯体にテーパーが付いていない場合
橋脚躯体両側面から突出する溝形鋼などを使用しないで、▲１▼・▲２▼貫通拘束筋を使用し、その水平接続部・継手を、財）日本建築センター（平成３年建設省住指発第３１号「鉄筋の溶接継手性能判定基準」）継手性能評価：Ａ級継手、認定番号例：ＢＣＪ−Ｃ○○○○など取得の、各種裏当て材を用いたガスシールドアーク溶接やエンクローズ溶接などによる狭開先溶接接合などの各種異形棒鋼▲７▼溶接継手工法で溶接し接続する。
【実施例２】
【００１２】  既設躯体にテーパーが付いている場合
貫通拘束筋の鉛直部を▲３▼・▲４▼・▲５▼・▲６▼貫通拘束筋と別々に分けて製作し、その水平接続部・継手を、［実施例１］と同様に▲７▼溶接継手工法で溶接し、さらに鉛直部・重ね継手を▲８▼フレアー溶接する。【００１３】  施工の流れとしては、▲１１▼既設躯体に▲９▼貫通孔を削孔する。▲１０▼孔口部拡大孔を深さ６ｃｍ程度削孔する。補強工程の下塗り工完了後、貫通拘束筋を設置・溶接継手を施工する。帯筋配筋後グラウト注入・充填を行う。
【図面の簡単な説明】
【００１４】
【図１】貫通拘束筋詳細図
【図２】貫通拘束筋補強配置図
【図３】ＰＣ鋼材定着詳細図
【図４】ＰＣ鋼材定着配置図
【符号の説明】
【００１５】  ▲１▼  貫通拘束筋Ａ
▲２▼  貫通拘束筋Ｂ
▲３▼  貫通拘束筋Ｃ
▲４▼  貫通拘束筋Ｄ
▲５▼  貫通拘束筋Ｅ
▲６▼  貫通拘束筋Ｆ
▲７▼  溶接継手
▲８▼  フレアー溶接
▲９▼  貫通孔
▲１０▼  孔口部拡大孔
▲１１▼  既設躯体
【手続補正書】
【提出日】平成19年8月15日(2007.8.15)
【手続補正１】
【補正対象書類名】特許請求の範囲
【補正対象項目名】請求項１
【補正方法】変更
【補正の内容】
【請求項１】
本発明は、ＲＣ構造躯体などの補強工事の貫通拘束補強において、躯体両側面から突出するＰＣ鋼棒・溝形鋼・支圧板・ナットなどを使用しないで、貫通拘束筋を使用し、その水平接続部・継手を、財）日本建築センター（平成３年建設省住指発第３１号「鉄筋の溶接継手性能判定基準」）継手性能評価：Ａ級継手、認定番号例：ＢＪＣ−Ｃ○○○○など取得の、各種裏当て材を用いたガスシールドアーク溶接やエンクローズ溶接などによる狭開先溶接接合などの各種異形棒鋼▲７▼溶接継手工法で溶接し接続して、補強増厚量を溝形鋼・支圧板・ナットなどの厚みから、貫通拘束筋径１Ｄの約３．５分の１に留めることを特徴とするＲＣ構造躯体の薄層貫通拘束補強工法。
【手続補正３】
【補正対象書類名】明細書
【補正対象項目名】０００２
【補正方法】変更
【補正の内容】
【０００２】  ＲＣ構造躯体などの補強工事において、貫通拘束を施工する場合、橋脚を例にすると、ＰＣ鋼棒を橋脚躯体に削孔した貫通孔に挿入・貫通し、橋脚躯体を挟み、両側面に設置した溝形鋼と支圧板を介して、ＰＣ鋼棒の両端に予めネジ加工されたネジをナットでＰＣ鋼棒にストレスをかけない範囲で締める補強主筋・帯筋のはらみ防止の施工が行われている。
【手続補正４】
【補正対象書類名】明細書
【補正対象項目名】０００３
【補正方法】変更
【補正の内容】
【０００３】  従来は、ＰＣ鋼棒を橋脚躯体に削孔した貫通孔に挿入・貫通し、橋脚躯体を挟み，両側面に設置した溝形鋼と支圧板を介して、ＰＣ鋼棒の両端に予めネジ加工されたネジをナットでストレスをかけない範囲で締める施工が行われているが、この場合、両側面に設置した溝形鋼と支圧板やナットとＰＣ鋼棒のネジ山数山分が橋脚躯体両側面から突出する。
【手続補正５】
【補正対象書類名】明細書
【補正対象項目名】０００８
【補正方法】変更
【補正の内容】
【０００８】ＲＣ構造躯体などの補強工事の貫通拘束補強において、橋脚躯体両側面から突出するＰＣ鋼棒・溝形鋼・支圧板・ナットなどを使用しないで貫通拘束筋のみを使用し、その水平接続部・継手を、財）日本建築センター（平成３年建設省住指発第３１号「鉄筋の溶接継手性能判定基準」）継手性能評価：Ａ級継手、認定番号例：ＢＪＣ−Ｃ○○○○など取得の、各種裏当て材を用いたガスシールドアーク溶接やエンクローズ溶接などによる狭開先溶接接合などの各種異形棒鋼▲７▼溶接継手工法で溶接し接続して、補強増厚量を溝形鋼・支圧板・ナットなどの厚みから、貫通拘束部の補強増厚量を貫通拘束筋１Ｄと、ＰＣ鋼棒・溝形鋼使用時の約３．５分の１の薄層に留める。
【手続補正６】
【補正対象書類名】明細書
【補正対象項目名】００１１
【補正方法】変更
【補正の内容】
【００１１】  既設躯体にテーパーが付いていない場合  橋脚躯体両側面から突出する溝形鋼などを使用しないで、▲１▼・▲２▼貫通拘束筋を使用し、その水平接続部・継手を、財）日本建築センター（平成３年建設省住指発第３１号「鉄筋の溶接継手性能判定基準」）継手性能評価：Ａ級継手、認定番号例：ＢＣＪ−Ｃ○○○○など取得の、各種裏当て材を用いたガスシールドアーク溶接やエンクローズ溶接などによる狭開先溶接接合などの各種異形棒鋼▲７▼溶接継手工法で溶接し接続する。